(57)【要約】【課題】連写によって得られた一連の画像を快適に表示可能なデジタルカメラを提供する。【解決手段】本発明の一態様は、一回の撮影指示操作で複数の画像を取得可能な連写モードを有するデジタルカメラにおいて、上記画像を表示するモニタユニット５４と、上記連写モードにおける１回の連写動作で得られた複数の画像を上記モニタユニット５４に特定の時間間隔で連続的に表示させる制御回路４０と、を具備し、上記制御回路４０は、１回の連写動作で得られた画像の数によって上記特定の時間間隔を調整することを特徴とするデジタルカメラである。【選択図】      図２
2006295243.tif 000002
【特許請求の範囲】
【請求項１】
一回の撮影指示操作で複数の画像を取得可能な連写モードを有するデジタルカメラにおいて、
上記画像を表示する表示手段と、
上記連写モードにおける１回の連写動作で得られた複数の画像を上記表示手段に特定の時間間隔で連続的に表示させる制御手段と、
を具備しており、
上記制御手段は、１回の連写動作で得られた画像の数によって上記特定の時間間隔を調整することを特徴とするデジタルカメラ。
【請求項２】
上記特定の時間間隔は、所定時間を上記一回の連写動作で得られた画像の数で均等割りして求めた時間間隔であることを特徴とする請求項１に記載のデジタルカメラ。
【請求項３】
上記所定時間は変更可能であることを特徴とする請求項２に記載のデジタルカメラ。
【発明の詳細な説明】
【技術分野】
【０００１】
本発明は、連続撮影を行うことが可能なデジタルカメラに関する。
【背景技術】
【０００２】
従来、一眼レフレックスタイプのカメラ（以下、一眼レフカメラと略記する）では、１コマにつき内蔵するクイックリターンミラーを１回だけ光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【０００３】
ところで、近年のデジタルカメラには撮影した画像を確認可能なように液晶モニタが装備されており、確認の際には、画像選択釦を操作して１枚ずつ順番に液晶モニタ上に画像を表示させる方法が一般的に採られている。しかしながら、この方法は、連写枚数が多い場合に非常に煩わしい。かかる点に鑑みて、特許文献２においては、連写モードで撮影された複数の画像については撮影時間間隔に応じた間隔でもって表示を連続的に行うようにしたデジタルカメラが開示されている。
【特許文献１】特開平８−２７８５４１号公報
【特許文献１】特開２００３−２２４７５２号公報
【発明の開示】
【発明が解決しようとする課題】
【０００４】
しかしながら、上記従来技術のように撮影間隔に応じて表示間隔を設定すると、連写枚数が多い場合には表示時間が長くなるという問題があり、また撮影時の時間間隔が非常に短い場合には一瞬で全ての表示が終了してしまうという問題がある。
【０００５】
本発明の目的とするところは、連写によって得られた一連の画像を快適に表示可能なデジタルカメラを提供することにある。
【課題を解決するための手段】
【０００６】
上記目的を達成するために、本発明の第１の態様では、一回の撮影指示操作で複数の画像を取得可能な連写モードを有するデジタルカメラにおいて、上記画像を表示する表示手段と、上記連写モードにおける１回の連写動作で得られた複数の画像を上記表示手段に特定の時間間隔で連続的に表示させる制御手段と、を具備しており、上記制御手段は、１回の連写動作で得られた画像の数によって上記特定の時間間隔を調整することを特徴とするデジタルカメラが提供される。
【０００７】
本発明の第２の態様では、上記第１の態様において、上記特定の時間間隔は、所定時間を上記一回の連写動作で得られた画像の数で均等割りして求めた時間間隔であることを特徴とするデジタルカメラが提供される。
【０００８】
本発明の第３の態様では、上記第２の態様において、上記所定時間は変更可能であることを特徴とするデジタルカメラが提供される。
【発明の効果】
【０００９】
本発明によれば、連写によって得られた一連の画像を快適に表示可能なデジタルカメラを提供することができる。
【発明を実施するための最良の形態】
【００１０】
図１は本発明の一実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１１】
これらの図１（ａ），（ｂ）に示されるように、このデジタルカメラ１は、ボディユニット２と該ボディユニット２に装着可能なレンズユニット３とで構成されている。
【００１２】
即ち、レンズユニット３は、複数のレンズより成るもので、ボディユニット２内の後述する撮像素子１４に撮影光束を導くための撮影レンズ４を有している。
【００１３】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には撮影画面内の複数のポイントについて自動測距を行うためのマルチ測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００１４】
そして、図２に示されるように、デジタルカメラ１のボディユニット２の上面部には、表示部２０とシャッタ釦２１、サブダイヤル２２、撮影モードダイヤル２３、メインスイッチ２４、撮影枚数釦２７が設けられている。また、ボディユニット２の背面部には、ファインダ接眼部２６とモニタ１６、メインダイヤル２５、十字キー２８、確定ボタン２９が設けられている。より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。すなわち、例えば、初期状態では１コマ撮影、撮影枚数釦２７が１回押下されると３コマ撮影、２回押下されると５コマ撮影、３回押下されると初期状態に復帰の如くコマ数が設定される。十字キー２８は撮影条件の設定や撮影済画像を再生する際の指示部材である。そして、確定ボタン２９は各種設定を確定するために操作される部材である。
【００１５】
図３は、本発明の一実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００１６】
即ち、レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、演算時に使用される各種データが記憶されるものである。これらのレンズユニット３内の各部は、ボディユニット２内の制御回路４０からの指令に従って制御される。
【００１７】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、マルチ測距回路４５、測光回路４６、メモリ４７、記憶回路４８、スイッチ入力部５０、表示駆動回路５１、画像表示回路５３、ストロボ駆動回路５７、上述したレンズユニット３内のレンズ駆動回路３１、絞り駆動回路３３及びレンズ内データ用メモリ３４が接続されている。撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。マルチ測距回路４５は、マルチ測距ユニット１２を駆動するためのものであり、このマルチ測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや、記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１やサブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。ストロボ駆動回路５７はストロボ発光部５８を駆動制御するための回路である。
【００１８】
以下、図４のタイミングチャートを参照して、本発明の一実施の形態に係るデジタルカメラによる基本的な撮像動作について詳細に説明する。尚、図中、ｔAはセカンドレリーズからのタイムラグを示しており、ｔBはファインダの像消失時間を示している。
【００１９】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、セカンドレリーズがオンされてからｔA時間経過したタイミングで撮像素子１４による撮像を行う。クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、全ての動作を終了する。
【００２０】
次に、図５のタイミングチャートを参照して、本発明の一実施の形態に係るデジタルカメラによる連写モード（３コマ撮影）時の撮影動作について詳細に説明する。
【００２１】
以下の説明では、図１乃至図３の構成図を適宜参照する。尚、図中、ｔBはファインダの像消失時間を示し、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当）、ｔ3は３コマ撮影までのレリーズタイムラグ、をそれぞれ意味している。
【００２２】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００２３】
すなわち、制御回路４０は、連写モード時においては、通常撮影モード時の撮影タイミングで１回、そのタイミングの前後、所定の間隔ｔI1，ｔI2（＝３．３msec）のタイミングで２回の計３回の撮影を行うように制御することになる。
【００２４】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００２５】
次に、図６のタイミングチャートを参照して、本発明の一実施の形態に係るデジタルカメラによる連写モード（５コマ撮影）時の撮影動作について詳細に説明する。
【００２６】
以下の説明では、図１乃至図３の構成図を適宜参照する。尚、図６中、ｔBはファインダの像消失時間を示し、ｔI1は１コマ目と２コマ目の間隔、ｔI2は２コマ目と３コマ目の間隔、ｔI3は３コマ目と４コマ目の間隔、ｔI4は４コマ目と５コマ目の間隔（ｔI1＝ｔI2＝ｔI3＝ｔI4＝2.0msec）、ｔ1は１コマ撮影までのレリーズタイムラグ、ｔ2は２コマ撮影までのレリーズタイムラグ、ｔ3は３コマ撮影までのレリーズタイムラグ（標準のレリーズタイムラグに相当）、ｔ4は４コマ撮影までのレリーズタイムラグ、ｔ5は５コマ撮影までのレリーズタイムラグ、をそれぞれ意味している。
【００２７】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3，ｔ4，ｔ5をもって連続５回の撮像を撮像素子１４により行う。即ち、制御回路４０は連写モード時においては、通常撮影モード時の基本タイミングで１回、基本タイミングの前後、所定の間隔ｔI2，ｔI3のタイミングで２回、基本タイミングの前後、所定の間隔ｔI1＋ｔI2，ｔI3＋ｔI4のタイミングで２回の計５回の撮影を行うように制御する。
【００２８】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／sec程度の連写が可能な素子シャッタ付きのイメージャを採用する。
【００２９】
以下、図７のフローチャートを参照して、本発明の第１の実施の形態に係るデジタルカメラによる撮影動作を更に詳細に説明する。ここでは、図１乃至図３を適宜参照する。
【００３０】
シャッタ釦２１が半押しされてファーストレリーズ（以下、１Ｒと略記する）がオンされると（ステップＳ１）、マルチ測距ユニット１２により撮影画面内の複数ポイントを測距し、最も近距離にある被写体に焦点合わせを行うマルチＡＦ動作を行い、また測光ユニット９による測光を行い（ステップＳ２，Ｓ３）、被写体輝度が十分であるか（所定の閾値以下であるか否か）を判断し（ステップＳ４）、十分でない場合にはストロボ発光量演算を行い（ステップＳ５）、ストロボ発光のためのフラグＦを１にセットし（ステップＳ６）、ステップＳ７に移行してシャッタ釦２１の全押しによるセカンドレリーズ（以下、２Ｒと略記する）がオンされるまでステップＳ１乃至Ｓ７の処理を繰り返す。
【００３１】
２Ｒがオンされると（ステップＳ７）、クイックリターンミラー５をアップすると共にレンズの絞込みを行い（ステップＳ８）、連写モード（複数駒撮影モード）であるか否かを判断する（ステップＳ９）。ここで、連写モードである場合には、シャッタユニット４４に含まれるシャッタ先幕マグネットをオフし（ステップＳ１０）、撮像素子１４をリセットし（ステップＳ１１）、上記ストロボ発光に係るフラグＦの状態を検出し（ステップＳ１２）、Ｆ＝１である場合にはストロボ発光部５８によるストロボ発光を行う（ステップＳ１３）。一方、Ｆ＝０である場合には、撮像データを読み出して、メモリ４７に一時的に記憶させ（ステップＳ１４）、露出設定回数だけ上記ステップＳ１１乃至Ｓ１４の処理を繰り返し、複数駒撮像を実行し（ステップＳ１５）、設定回数だけ処理が終了すると、シャッタ後幕マグネットをオフし（ステップＳ１６）、ステップＳ２３以降の処理に進む。
【００３２】
一方、連写モードではない場合には（ステップＳ９）、シャッタユニット４４に含まれるシャッタ先幕マグネットをオフし（ステップＳ１８）、撮像素子１４をリセットし（ステップＳ１９）、上記ストロボ発光に係るフラグＦの状態を検出し（ステップＳ２０）、Ｆ＝１である場合にはストロボ発光部５８によるストロボ発光を行う（ステップＳ１３）。このストロボ発光の後、或いは上記ステップＳ２０でＦ＝０である場合には、撮像データを読み出して、メモリ４７に一時的に記憶させ（ステップＳ２１）、シャッタ後幕マグネットをオフし（ステップＳ２２）、ステップＳ２３以降の処理に進む。こうして、クイックリターンミラー５をダウンすると共にレンズ絞り開放とし（ステップＳ２３）、メカチャージを行い（ステップＳ２４）、ストロボ発光に係るフラグＦを０とし（ステップＳ２５）、メモリ４７に一時記憶された撮影データを記録メディア４９に保存し、本動作を終了する。
【００３３】
ここで、本実施の形態では、撮影枚数釦２７は、初期状態では１コマ撮影、撮影枚数釦２７が１回押下されると３コマ撮影、２回押下されると５コマ撮影、３回押下されると初期状態に復帰の如くコマ数が設定される。以下、図８のフローチャートを参照して、本実施の形態に係るデジタルカメラによる撮影枚数設定に係る処理について詳細に説明する。
【００３４】
制御回路４０は撮影枚数釦２７が押下されたことを検出すると（ステップＳ３１）、当該撮影枚数釦２７の押下回数に応じて撮影枚数を設定する。即ち、１回押下された場合には撮影枚数を３枚と設定し、２回押下された場合には撮影枚数を５枚に設定し、３回押下された場合には撮影枚数を１枚に設定する（ステップＳ３２乃至Ｓ３６）。
【００３５】
次に図９のフローチャートを参照して、上記露光動作により記録メディア４９に保存された撮影データの再生動作について詳細に説明する。
【００３６】
十字キー２８が操作されて最新画像（つまり、最後に撮影された画像）が選択されると（ステップＳ４０）、当該画像が連写モード下で撮影された画像であるか否かを制御回路４０は判断する（ステップＳ４１）。ここで、連写モード下で撮影された画像である場合には後述するサブルーチン「連写画像表示」を実行する（ステップＳ４２）。
【００３７】
一方、連写モード下で撮影された画像ではない場合、つまり通常モード下で撮影されたものである場合には単写画像表示を行う（ステップＳ４３）。
【００３８】
続いて、再生モードを終了するか否かを制御回路４０が判断する（ステップＳ４４）。
【００３９】
ここで、再生モードを終了すると判断した場合には表示をオフし（ステップＳ４５）、リターンする。一方、上記ステップＳ４４にて、制御回路４０は再生モードを終了しないものと判断した場合には、更に十字キー２８の操作がなされたか否かを判断する（ステップＳ４６）。ここで、当該十字キー２８の操作がなされた場合には当該操作に対応した画像を選択し、上記ステップＳ３１に戻り（ステップＳ４７）、一方、十字キー２８の操作がなされない場合には、続いてメインダイヤル２５の操作がなされたか否かを判断し（ステップＳ４８）、当該メインダイヤル２５の操作がなされた場合には当該操作に応じて所定時間Ｔtを変更した後に、上記ステップＳ４４に戻る（ステップＳ４９）。
【００４０】
ここで、図１０のフローチャートを参照して、上記ステップＳ４２で実行されるサブルーチン「連写画像表示」の動作について詳細に説明する。ここでは、連写モード時に連続撮影枚数を３枚或いは５枚のいずれかに設定可能な例を挙げて説明する。
【００４１】
制御回路４０は、先ず撮影枚数が３枚であるか否かを確認する（ステップＳ５０）。ここで、撮影枚数が３である場合には変数ｎを３に設定し（ステップＳ５１）、撮影枚数が５である場合には変数ｎを５に設定する（ステップＳ５２）。続いて、制御回路４０は、連写画像の表示のスクロールの時間間隔をＴt／ｎに設定する（ステップＳ５３）。
【００４２】
こうして、制御回路４０は、上記Ｔt／ｎを計時するタイマをリセットスタートさせ（ステップＳ５４）、選択画像をモニタ１６に表示し（ステップＳ５５）、設定した時間間隔（Ｔt／ｎ）が経過するまで待機して、当該時間間隔（Ｔt／ｎ）だけ経過すると（ステップＳ５６）、ｎ枚全ての表示を行ったか否かを判断し（ステップＳ５７）、全ての表示を行っていない場合には上記ステップＳ５４に戻り、上記動作を繰り返し、ｎ枚全ての表示を終了すると、連写１枚目の画像を再びモニタ１６に表示し（ステップＳ５８）、図９の上記ステップＳ４４以降の処理にリターンする。以上の処理によれば、例えば図１１に示されるように、連写画像を自動スクロールしながら表示する総時間Ｔtを適宜変更可能としつつ、連写モードの下で撮像された複数の各画像を当該総時間Ｔtを連写された枚数ｎで除算した時間間隔で順次表示切換可能とすることができる。
【００４３】
以上詳述したように、本発明の一実施の形態によれば、一回の撮影指示操作で複数の画像を取得可能な連写モードを有するデジタルカメラにおいて、上記画像を表示する表示手段としてのモニタ１６と、上記連写モードにおける１回の連写動作で得られた複数の画像を上記表示手段に特定の時間間隔で連続的に表示させる制御手段としての制御回路４０とを具備しており、上記制御回路４０は、１回の連写動作で得られた画像の数によって上記特定の時間間隔を調整することを特徴とするデジタルカメラが提供される。尚、この特定の時間間隔は、所定時間を上記一回の連写動作で得られた画像の数で均等割りして求めた時間間隔であり、上記所定時間は変更可能である。
【００４４】
以上、本発明の一実施の形態について説明したが、本発明はこれに限定されることなく、その趣旨を逸脱しない範囲で種々の改良・変更が可能であることは勿論である。例えば、連写画像のレックビューを実行しているときに、表示切換速度を変化させたい場合には、十字キー２８の操作等により早送り、スロー送りを実施できるようにしてもよいことは勿論である。
【図面の簡単な説明】
【００４５】
【図１】（ａ）は本発明の一実施の形態に係るデジタルカメラの正面図、（ｂ）はデジタルカメラの側面図である。
【図２】図１のデジタルカメラを背面側より見た外観斜視図である。
【図３】本発明の一実施の形態に於けるデジタルカメラの電気系のシステム構成を示すブロック図である。
【図４】本発明の一実施の形態に係るデジタルカメラによる基本的な撮像動作について詳細に説明するタイムチャートである。
【図５】本発明の一実施の形態に係るデジタルカメラによる連写モード（３コマ撮影）時の撮影動作について詳細に説明するタイムチャートである。
【図６】本発明の一実施の形態に係るデジタルカメラによる連写モード（５コマ撮影）時の撮影動作について詳細に説明するタイムチャートである。
【図７】本発明の一実施の形態に係るデジタルカメラによる撮影動作を更に詳細に説明するフローチャートである。
【図８】本発明の一実施の形態に係るデジタルカメラによる撮影枚数設定に係る処理について詳細に説明するフローチャートである。
【図９】本発明の一実施の形態に係るデジタルカメラによる撮影データの再生動作について詳細に説明するフローチャートである。
【図１０】図９のステップＳ４２で実行されるサブルーチン「連写画像表示」の動作について詳細に説明するフローチャートである。
【図１１】撮影画面表示の概念図である。
【符号の説明】
【００４６】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・マルチ測距ユニット、１３・・・フォーカルプレーンシャッタ、１４・・・撮像素子、１５・・・メイン回路基板、１６・・・モニタ。
【図１】
2006295243.tif 000003
【図２】
2006295243.tif 000004
【図３】
2006295243.tif 000005
【図４】
2006295243.tif 000006
【図５】
2006295243.tif 000007
【図６】
2006295243.tif 000008
【図７】
2006295243.tif 000009
【図８】
2006295243.tif 000010
【図９】
2006295243.tif 000011
【図１０】
2006295243.tif 000012
【図１１】
2006295243.tif 000013